(57)【要約】      （修正有）【課題】組立て設置作業を迅速に行うことができる害獣防止用折畳みフェンスを提供する。【解決手段】折畳みフェンスは、縦横に立設した枠体１２、１３に張設した網状体１１を備え、網状体は上下方向の中間位置で上部網状体１１ａと下部網状体１１ｂとに分離され、分離箇所においてコイル状線材１４によって回動可能に連結されている。害獣の通路に枠体に張設した網状体を設置し、害獣の通過を防止する際にはコイル状線材部分で回動させることにより下部網状体を通路を塞ぐよう垂下させて通路を閉塞し、害獣の通過を防止する必要がない場合には下部網状体を持ち上げて、通路を開く。【選択図】図３
0003228802.tif 000002
【実用新案登録請求の範囲】
【請求項１】
縦横に立設した枠体に張設した網状体を備え、前記網状体は上下方向の中間位置で上部網状体と下部網状体とに分離され、かつ該分離箇所においてコイル状線材によって回動可能に連結されており、害獣の通路に設置した枠体に張設した網状体を、害獣の通過を防止する際にはコイル状線材部分で回動させることにより下部網状体を通路を塞ぐよう垂下させて通路を閉塞し、害獣の通過を防止する必要がない場合にはコイル状線材部分で回動させることにより下部網状体を持ち上げて、通路を開くようにしたことを特徴とする害獣防止用折畳みフェンス。
【請求項２】
前記網状体が、所定の高さにおいて縦用線材がく字状に屈曲されており、かつ上部網状体と下部網状体とが折り畳まれたときに重なるように配置されていることを特徴とする請求項１に記載の害獣防止用折畳みフェンス。
【請求項３】
前記網状体が、下端を縦用線材が開放されて所定の長さに垂下しており、該垂下部分において金具等を介して固定するようにしたことを特徴とする請求項１または２に記載の害獣防止用折畳みフェンス。
【考案の詳細な説明】
【技術分野】
【０００１】
本考案は、鹿、猪等の動物が水路等を経て畑等に入り込むことを阻止するための害獣防止用折畳みフェンスに関する。
【背景技術】
【０００２】
最近、鹿、猪等の動物が頻繁に畑等に侵入して作物を食い荒らす被害が発生している。従来は、これを防止するために、畑などの周囲に野生動物の侵入を防止するための侵入防止柵の設置が行われている。しかし、猪では１．２ｍ、鹿は２．０ｍを超える跳躍能力があり、このような飛び越えを阻止する手段が求められることとなる。また、猪では、侵入防止柵の下を掘り潜って侵入してくることもあり、これの防止も図らなければならない。
【０００３】
従来、上記のような問題を解決する手段として、特開２０１２―２３１７０４号公報 (特許文献１参照)や、特開２０１６−２０２０６９号公報（特許文献２参照）の動物侵入防止柵が提案されている。
【０００４】
これは図４に示すように、地面に立設された主柵体に対して、地面に沿うように位置させるための裾柵体を下端に形成した吊り下げ部材の上端を回転自在に枢支させ、当該裾柵体の先端に、動物の侵入方向に斜め上方に突出する踏切り錯乱用柵体を連設し、当該吊り下げ部材は不要時に上方に跳ね上げておくことができるように構成した「動物侵入防止柵」である。
【先行技術文献】
【特許文献】
【０００５】
【特許文献１】特開２０１２―２３１７０４号公報
【特許文献２】特開２０１６−２０２０６９号公報
【考案の概要】
【考案が解決しようとする課題】
【０００６】
前記の従来手段は、吊り下げ部材の下端の裾柵体の先端に動物の侵入方向に斜め上方に突出する踏切り錯乱用柵体を連設し、当該吊り下げ部材は不要時に上方に跳ね上げておくものであるが、吊り下げ部材に設けた動物の侵入方向に斜め上方に突出する踏切り錯乱用柵体が、水路等に設けた場合に木材やその他のゴミが該踏切り錯乱用柵体に引っかかってしまうという問題があった。
【０００７】
すなわち、前記踏切り錯乱用柵体の存在は、主柵体の前方に迫り出しているため、例えば雑草或は農作物の刈り取り作業、水路の清掃作業等に際しては、邪魔な存在であって障害物化してしまい、主柵体の間近迄の作業、特に機械による刈り取り作業等は全く不能化されてしまう、と言うような問題が生じることとなった。
【０００８】
本考案は、上述したように前記踏切り錯乱用柵体の存在による従来の問題を解消するように改良した害獣防止用折畳みフェンスを提供することをその目的とするものである。
【課題を解決するための手段】
【０００９】
請求項１の害獣防止用折畳みフェンスは、縦横に立設した枠体に張設した網状体を備え、前記網状体は上下方向の中間位置で上部網状体と下部網状体とに分離され、かつ該分離箇所においてコイル状線材によって回動可能に連結されており、害獣の通路に設置した枠体に張設した網状体を、害獣の通過を防止する際にはコイル状線材部分で回動させることにより下部網状体を通路を塞ぐよう垂下させて通路を閉塞し、害獣の通過を防止する必要がない場合にはコイル状線材部分で回動させることにより下部網状体を持ち上げて、通路を開くようにしたことを特徴とする。
【００１０】
請求項２の害獣防止用折畳みフェンスは、前記網状体が、所定の高さにおいて縦用線材がく字状に屈曲されており、かつ上部網状体と下部網状体とが折り畳まれたときに重なるように配置されていることをも特徴とするものである。
【００１１】
請求項３の害獣防止用折畳みフェンスは、前記網状体が、下端を縦用線材が開放されて所定の長さに垂下しており、該垂下部分において金具等を介して固定するようにしたことをも特徴とするものである。
【考案の効果】
【００１２】
本考案は請求項１に記載の害獣防止用折畳みフェンスであって、縦横に立設した枠体に張設した網状体を備え、前記網状体は上下方向の中間位置で上部網状体と下部網状体とに分離され、かつ該分離箇所においてコイル状線材によって回動可能に連結されており、害獣の通路に設置した枠体に張設した網状体を、害獣の通過を防止する際にはコイル状線材部分で回動させることにより下部網状体を通路を塞ぐよう垂下させて通路を閉塞し、害獣の通過を防止する必要がない場合にはコイル状線材部分で回動させることにより下部網状体を持ち上げて、通路を開くようにしたものであり、下部網状体の非常に迅速な作業を確保することができる。
【００１３】
請求項２の害獣防止用折畳みフェンスは、前記網状体が、所定の高さにおいて縦用線材がく字状に屈曲されており、かつ上部網状体と下部網状体とが折り畳まれたときに重なるように配置されており、組立作業の目安となって組立作業の迅速化が図られる。
【００１４】
請求項３の害獣防止用折畳みフェンスは、前記網状体が、下端を縦用線材が開放されて所定の長さに垂下しており、該垂下部分において金具等を介して固定するよう構成してあるため、設置作業を迅速に行うことができ、かつ部材を非常に安価に提供することができる。
【図面の簡単な説明】
【００１５】
【図１】本考案の害獣防止用折畳みフェンスの１実施例を示す網状体の展開時の概略正面図である。
【図２】（ａ）は図１の概略平面図、（ｂ）はその概略側面図である。
【図３】その概略斜視図である。
【図４】前記網状体の折畳み時の概略側面図である。
【図５】その概略斜視図である。
【図６】本考案の害獣防止用折畳みフェンスを水路に取り付けた状態を示す概略正面図である。
【図７】前記網状体の折畳み時の概略正面図である。
【図８】本考案の害獣防止用折畳みフェンスを窪地に取り付けた状態の概略正面図である。
【考案を実施するための形態】
【００１６】
以下図面に基いて本考案の害獣防止用折畳みフェンスの実施例を具体的に説明する。
【００１７】
図１ないし図３において、１１は縦横に立設した枠体１２，１３に張設した網状体であり、該網状体は上下方向の中間位置で上部網状体１１ａと下部網状体１１ｂとに分離され、該分離箇所においてコイル状線材１４によって回動可能に連結されている。
そして、害獣の通路に設置した枠体１２，１３に張設した前記網状体１１を、害獣の通過を防止する際にはコイル状線材１４部分で回動させることにより、図１に示すように、下部網状体１１ｂを通路を塞ぐよう垂下させて通路を閉塞する。
また、害獣の通過を防止する必要がない場合には、コイル状線材１４部分で回動させることにより、図４および図５に示すように、下部網状体１１ｂを持ち上げて、通路を開くのである。
【００１８】
本考案の害獣防止用折畳みフェンスは、前記網状体１１が、所定の高さにおいて縦用線材２１がく字状に屈曲されており、かつこの屈曲部２２が、上部網状体１１ａと下部網状体１１ｂとが折り畳まれたときに、図４および図５のように、重なるように配置されている。
このようにすることにより、前記屈曲部２２が組立作業の目安となって組立作業の迅速化が図られる。
【００１９】
本考案の害獣防止用折畳みフェンスは、前記網状体１１が、下端を縦用線材２１が開放されて所定の長さに垂下しており、該垂下部分２１ａにおいて金具等を介して固定するようになっている。
このようにすることにより、設置作業を迅速に行うことができ、かつ部材を非常に安価に提供することができる。
【００２０】
図６および図７は、本考案の害獣防止用折畳みフェンスを枠体１２，１３を介して水路３１に取り付けた状態を示し、図６は下部網状体１１ｂを垂下させて上部網状体１１ａと下部網状体１１ｂによって通路を閉じた状態を示すものであり、図７は下部網状体１１ｂを持ち上げて上部網状体１１ａと重ね合わせることによって通路を開いた状態を示している。
なお前記下部網状体１１ｂの端部は、前記水路３１の側壁に取付金具３２を用いて固定されており、鹿、猪等の動物が下部網状体１１ｂに衝突しても破壊されることはない。
【００２１】
図８は、本考案の害獣防止用折畳みフェンスを窪地４１に取り付けた状態を示し、窪地４１内に縦横に立設した枠体１２，１３に網状体１１を張設した状態を示すものである。
前記下部網状体１１ｂの下端は枠体１２の下部に取付金具４２を用いて固定されており、鹿、猪等の動物が下部網状体１１ｂに衝突しても破壊されることはない。
なお、図８は下部網状体１１ｂを垂下させて上部網状体１１ａと下部網状体１１ｂによって窪地４１を閉じた状態を示している。
【産業上の利用可能性】
【００２２】
本考案は、上記した水路や窪地のみならず、動物の侵入が予想される種々の場所に設置することができる。そしてこの設置に基づき、鹿や猪等の動物の侵入は網状体の存在により防止される。もちろん、増水等に際しては下部網状体を持ち上げておくことより、網状体の損傷等に被害の防止が図られる。
【００２３】
なお、本考案は、その全体が網状体により構成することを原則とするが、これは絶対的な要件ではない。場合によっては、全体または部分的に板材を用いるように構成する場合もある。
【符号の説明】
【００２４】
１１  網状体
１１ａ  上部網状体
１１ｂ  下部網状体
１２，１３  枠体
１４  コイル状線材
２１  縦用線材
２１ａ  垂下部分
２２  屈曲部
３１  水路
３２  取付金具
４１  窪地
４２  取付金具
【図１】
0003228802.tif 000003
【図２】
0003228802.tif 000004
【図３】
0003228802.tif 000005
【図４】
0003228802.tif 000006
【図５】
0003228802.tif 000007
【図６】
0003228802.tif 000008
【図７】
0003228802.tif 000009
【図８】
0003228802.tif 000010